(57)【要約】【課題】送風ファンとフィルタとを備えた換気装置において、フィルタに目詰まりが生じてきた場合であっても、送風ファンの過負荷運転の発生を抑えつつ、換気量の低下を極力抑える。【解決手段】換気装置１は、送風ファン４、５と、送風ファン４、５によって生成される空気流中に含まれる塵埃等を捕集するフィルタ６、７と、報知部９にフィルタサインを出させるための時間入力値ｔｓを用いて送風ファン４、５の目標回転数ｎｓを所定頻度で増加させる制御部８とを備えている。【選択図】図３
2009002554.tif 000002
【特許請求の範囲】
【請求項１】
送風ファン（４、５）と、
前記送風ファンによって生成される空気流中に含まれる塵埃等を捕集するフィルタ（６、７）と、
フィルタサインを出させるための時間入力値を用いて、前記送風ファンの目標回転数を所定頻度で増加させる制御部（８）と、
を備えた換気装置（１）。
【請求項２】
前記制御部（８）は、前記フィルタサインが出た後は、前記目標回転数を増加させない、請求項１に記載の換気装置（１）。
【請求項３】
前記所定頻度は、前記時間入力値を所定整数で割ることによって得られる時間間隔である、請求項１又は２に記載の換気装置（１）。
【請求項４】
前記時間入力値は、前記フィルタ（６、７）のメンテナンス時に設定可能である、請求項１〜３のいずれかに記載の換気装置（１）。
【請求項５】
送風ファン（４、５）と、前記送風ファンによって生成される空気流中に含まれる塵埃等を捕集するフィルタ（６、７）とを備えた換気装置（１）において、
フィルタサインを出させるための時間入力値を用いて、前記送風ファンの目標回転数を所定頻度で増加させることを特徴とする、換気装置の制御方法。
【発明の詳細な説明】
【技術分野】
【０００１】
本発明は、換気装置及びその制御方法、特に、送風ファンと送風ファンによって生成される空気流中に含まれる塵埃等を捕集するフィルタとを備えた換気装置及びその制御方法に関する。
【背景技術】
【０００２】
気密住宅等の建物においては、送風ファンと送風ファンによって生成される空気流中に含まれる塵埃等を捕集するフィルタとを備えた換気装置が設けられることがある。そして、このような建物においては、建物内の空気質の観点から必要最小限の換気回数を確保することが望まれている。しかし、換気を行うと、建物の熱ロスが増加するため、建物内の温度が変化して快適性が損なわれたり、冷暖房装置の運転負荷の増加等が生じることになる。このため、建物の換気装置においては、換気量の確保と換気による熱ロスの低減とを両立させるため、換気量を必要換気量で一定に維持することが望まれている。
【０００３】
また、送風ファンと送風ファンによって生成される空気流中に含まれる塵埃等を捕集するフィルタとを備えた送風装置として、特許文献１に示されるように、フィルタにおける塵埃等の目詰まり度を検出し、その目詰まり度の増加に応じて送風ファンの運転周波数を増加させることで、送風ファンの風量の低下を防ぐものがある。
【特許文献１】特開２００１−１２４３８２号公報
【発明の開示】
【発明が解決しようとする課題】
【０００４】
建物に設けられた換気装置を運転すると、フィルタに塵埃等が付着することによって通風抵抗が増加することから、送風ファンの回転数が目標回転数で一定になるように制御している場合には、運転初期の換気量を維持することができなくなり、換気量の低下を生じ、その結果、換気量を必要換気量で一定に維持することができなくなるという問題が生じる。
【０００５】
これに対して、特許文献１の送風装置と同様に、フィルタの目詰まり度の増加に応じて送風ファンの運転周波数を増加させる制御構成を設けることが考えられるが、このような制御構成を採用すると、送風ファンの運転周波数を増加させ続けることになるため、送風ファンの過負荷運転が発生するおそれがあり望ましくない。また、送風ファンの目標回転数を増加させる頻度については、フィルタの目詰まり度の増加の程度が換気装置の使用環境によって異なる点も考慮して決定する必要があり、その決定が容易ではない。
【０００６】
本発明の課題は、送風ファンとフィルタとを備えた換気装置において、フィルタに目詰まりが生じてきた場合であっても、送風ファンの過負荷運転の発生を抑えつつ、換気量の低下を極力抑えることにある。
【課題を解決するための手段】
【０００７】
第１の発明にかかる換気装置は、送風ファンと、送風ファンによって生成される空気流中に含まれる塵埃等を捕集するフィルタと、フィルタサインを出させるための時間入力値を用いて送風ファンの目標回転数を所定頻度で増加させる制御部とを備えている。
【０００８】
この換気装置では、送風ファンの目標回転数を所定頻度で増加させるようにしているため、フィルタに目詰まりが生じてきた場合であっても、換気量の低下を極力抑えることができる。ここで、送風ファンの目標回転数を増加させるための所定頻度は、フィルタサインの時間入力値を用いて決定されているため、換気装置の使用環境による影響も考慮した適切なものとなっている。しかも、時間入力値に達した際に出されるフィルタサインによって、送風ファンの過負荷運転の発生のおそれを検知することができるため、過負荷運転の発生を抑えることができる。尚、「フィルタサイン」とは、フィルタの交換や洗浄を必要とする程度の目詰まりが生じると予測される時点（すなわち、フィルタのメンテナンスの時期）を、予め制御部等に設定された時間入力値に運転時間が達したことをもって、ランプ表示やブザー音等の報知部によって報知する機能である。
【０００９】
第２の発明にかかる換気装置は、第１の発明にかかる換気装置において、制御部は、フィルタサインが出た後は、目標回転数を増加させない。
【００１０】
この換気装置では、フィルタサインが出た後は目標回転数を増加させないようにしているため、フィルタのメンテナンスのための運転停止が行われずに、フィルタサインが出た後も継続して送風ファンの運転が行われた場合であっても、送風ファンの過負荷運転の発生を確実に抑えることができる。
【００１１】
第３の発明にかかる換気装置は、第１又は第２の発明にかかる換気装置において、所定頻度は、時間入力値を所定整数で割ることによって得られる時間間隔である。
【００１２】
この換気装置では、目標回転数を増加させるための所定頻度を、時間入力値を所定整数で割ることによって得られる時間間隔としているため、目標回転数を増加させるための所定頻度をフィルタサインの時間入力値に応じて容易かつ適切に決定することができる。
【００１３】
第４の発明にかかる換気装置は、第１〜第３の発明のいずれかにかかる換気装置において、時間入力値は、フィルタのメンテナンス時に設定可能である。
【００１４】
この換気装置では、フィルタサインの時間入力値がフィルタのメンテナンス時に設定可能であるため、フィルタサインが出た時点におけるフィルタの目詰まりの度合い、すなわち、換気装置の使用環境に応じて、フィルタサインの時間入力値を適切な値とすることができるようになり、これにより、換気量の低下や過負荷運転の発生を確実に抑えることができる。尚、「時間入力値」に関して使用されている「設定」という文言は、制御部等に対して時間入力値を入力したりや変更することだけを意味するものではなく、制御部等に予め準備された複数の時間入力値の１つを選択すること等も意味するものであり、上述の第１〜第３の発明にかかる換気装置の説明に使用されている「設定」という文言や、後述の第５の発明にかかる換気装置の制御方法の説明に使用されている「設定」という文言も、これと同様である。
【００１５】
第５の発明にかかる換気装置の制御方法は、送風ファンと、送風ファンによって生成される空気流中に含まれる塵埃等を捕集するフィルタとを備えた換気装置において、フィルタサインを出させるための時間入力値を用いて、送風ファンの目標回転数を所定頻度で増加させることを特徴としている。
【００１６】
この換気装置の制御方法では、送風ファンの目標回転数を所定頻度で増加させるようにしているため、フィルタに目詰まりが生じてきた場合であっても、換気量の低下を極力抑えることができる。ここで、送風ファンの目標回転数を増加させるための所定頻度は、フィルタサインの時間入力値を用いて決定されているため、換気装置の使用環境による影響も考慮した適切なものとなっている。しかも、時間入力値に達した際に出されるフィルタサインによって、送風ファンの過負荷運転の発生のおそれを検知することができるため、過負荷運転の発生を抑えることができる。尚、「フィルタサイン」とは、フィルタの交換や洗浄を必要とする程度の目詰まりが生じると予測される時点（すなわち、フィルタのメンテナンスの時期）を、予め制御部等に設定された時間入力値に運転時間が達したことをもって、ランプ表示やブザー音等の報知部によって報知するものである。
【発明の効果】
【００１７】
以上の説明に述べたように、本発明によれば、以下の効果が得られる。
【００１８】
第１及び第５の発明では、フィルタに目詰まりが生じてきた場合であっても、送風ファンの過負荷運転の発生を抑えつつ、換気量の低下を極力抑えることができる。
【００１９】
第２の発明では、フィルタサインが出た後も継続して送風ファンの運転が行われた場合であっても、送風ファンの過負荷運転の発生を確実に抑えることができる。
【００２０】
第３の発明では、目標回転数を増加させるための所定頻度をフィルタサインの時間入力値に応じて容易かつ適切に決定することができる。
【００２１】
第４の発明では、換気装置の使用環境に応じて、フィルタサインの時間入力値を適切な値とすることができるようになり、これにより、換気量の低下や過負荷運転の発生を確実に抑えることができる。
【発明を実施するための最良の形態】
【００２２】
以下、図面に基づいて、本発明にかかる換気装置及びその制御方法の実施形態について説明する。
【００２３】
（１）換気装置の基本構成
図１は、本発明の一実施形態にかかる換気装置１の概略構成図である。図２は、熱交換器３の要部を示す斜視図である。
【００２４】
換気装置１は、気密住宅等の建物の壁や床上、天井、壁裏、床下、天井裏等に設置されている。そして、換気装置１は、屋外の空気を屋外空気ＯＡとして屋内に取り入れるための取入口（図示せず）、屋外空気ＯＡを供給空気ＳＡとして屋内に供給する給気口（図示せず）、屋内の空気（屋内空気ＲＡとする）を屋内から取り出すための取出口（図示せず）、及び、屋内空気ＲＡを排出空気ＥＡとして屋外に排出するための排出口（図示せず）にダクト等を介して接続される装置本体２を有している。
【００２５】
装置本体２の内部には、熱交換器３が設けられるとともに、互いに区画された２つの風路２１、２２が熱交換器３を通過するように形成されている。一方の風路２１は、その一端が上述の取入口に接続されるとともに他端が上述の給気口に接続されており、屋外から屋内に向けて空気流Ｆ１（図１中に実線で示された矢印を参照）を流すための給気路を構成している。他方の風路２２は、その一端が上述の取出口に接続されるとともに他端が上述の排気口に接続されており、屋内から屋外に向けて空気流Ｆ２（図１中に一点鎖線で示された矢印を参照）を流すための排気路を構成している。
【００２６】
熱交換器３は、本実施形態において、２つの空気流（ここでは、空気流Ｆ１と空気流Ｆ２）の間で顕熱と潜熱とを同時に熱交換する全熱交換器である。熱交換器３は、主として、複数の全熱交換素子３１と、複数の第１スペーサー部材３２及び複数の第２スペーサー部材３３とを有している。全熱交換素子３１は、透湿性を有する平板状の部材であり、空気流Ｆ１が流れる複数の第１流路３４と空気流Ｆ２が流れる複数の第２流路３５とが交互に形成されるように間隔を空けて配置されている。第１スペーサー部材３２は、波板状の部材であり、各第１流路３４を挟んで対向する各１対の全熱交換素子３１の両方に接触するように配置されて、各１対の全熱交換素子３１の間隔を保持している。第２スペーサー部材３３は、第１スペーサー部材３２と同様の波板状の部材であり、各第２流路３５を挟んで対向する各１対の全熱交換素子３１の両方に接触するように配置されて、各１対の全熱交換素子３１の間隔を保持している。本実施形態において、第１スペーサー部材３２と第２スペーサー部材３３とは、第１流路３４と第２流路３５とが互い直交するように配置されており、空気流Ｆ１と空気流Ｆ２とが互いに交差する方向に流れるようになっている。このように、熱交換器３には、複数の全熱交換素子３１とスペーサー部材３２、３３を複数積層することによって、給気路２１の一部を構成する複数の第１流路３４と、排気路２２の一部を構成する複数の第２流路３５とが交互に形成されている。これにより、換気装置１では、空気流Ｆ１と空気流Ｆ２との間で顕熱と潜熱とを同時に熱交換を行うことができるようになっている。
【００２７】
また、給気路２１には、屋外から屋内に向かう空気流Ｆ１を生成するための送風ファンとしての給気ファン４が設けられ、排気路２２には、屋内から屋外に向かう空気流Ｆ２を生成するための送風ファンとしての排気ファン５が設けられている。給気ファン４及び排気ファン５は、本実施形態において、熱交換器３の下流側にそれぞれ配置されている。給気ファン４は、主として、羽根車等の給気ファン本体４１と、給気ファンモータ４２とを有している。排気ファン５は、主として、羽根車等の排気ファン本体５１と、排気ファンモータ５２とを有している。これにより、換気装置１では、給気ファン４によって屋外から屋内に空気流Ｆ１を供給するとともに、排気ファン５によって屋内から屋外に空気流Ｆ２を排気することで、換気を行うことができるようになっている。
【００２８】
また、給気路２１には、給気ファン４によって生成される空気流Ｆ１中に含まれる塵埃等を捕集する給気フィルタ６が設けられ、排気路２２には、排気ファン５によって生成される空気流Ｆ２中に含まれる塵埃等を捕集する排気フィルタ７が設けられている。給気フィルタ６及び排気フィルタ７は、本実施形態において、熱交換器３の上流側にそれぞれ配置されている。これにより、換気装置１では、給気ファン４によって屋外から屋内に供給される空気流Ｆ１中に含まれる塵埃等を除去し、排気ファン５によって屋内から屋外に排出される空気流Ｆ２中に含まれる塵埃等を除去することができるようになっている。
【００２９】
そして、換気装置１では、換気量を必要換気量で一定に維持するために、給気ファン４の給気ファンモータ４２及び排気ファン５の排気ファンモータ５２の回転数ｎを目標回転数ｎｓで一定になるように制御できるようになっている。具体的には、装置本体２には、換気装置１を攻勢する各種機器の制御を行うための電気回路、マイクロコンピュータやメモリ等を含む制御部８が設けられており、この制御部８を通じて、各ファンモータ４２、５２の運転周波数を変更したり印加電圧を変更する等によって、各ファンモータ４２、５２の回転数ｎが目標回転数ｎｓで一定になるように制御することができる。尚、各ファンモータ４２、５２の目標回転数ｎｓは、本実施形態において、複数の段階（例えば、目標回転数ｎｓ１、ｎｓ２、ｎｓ３、・・・）に変更できるようになっている。
【００３０】
（２）本実施形態の換気装置に特有の構成、及びその動作
図３は、換気装置１の制御方法を示すフローチャートである。図４は、給気ファン４及び排気ファン５の風量−静圧特性を示すグラフである。図５は、給気ファン４及び排気ファン５の風量の経時変化を示すグラフである。
【００３１】
上述のような構成を有する換気装置１を運転すると、装置本体２に設けられたフィルタ６、７に塵埃等が付着することによって目詰まりが生じて通風抵抗が増加する（すなわち、給気ファン４及び排気ファン５における静圧が高くなる）ことから、給気ファンモータ４２及び排気ファンモータ５２の回転数ｎが目標回転数ｎｓで一定になるように制御している場合には、給気ファン４及び排気ファン５における風量（すなわち、図１における空気流Ｆ１、Ｆ２の流量）が低下してしまい、運転初期の換気量を維持することができなくなり、換気量の低下を生じ、その結果、換気量を必要換気量で一定に維持することができなくなる。例えば、図４及び図５において、運転初期の目標回転数ｎｓをｎｓ２に設定した場合を想定すると、運転初期には、給気ファン４及び排気ファン５における風量が、点Ｐ０に対応する風量Ｑ０（ここで、風量Ｑ０は、必要換気量以上の風量に相当するものとする）となるが、運転時間が経過するにつれて、徐々にフィルタ６、７に目詰まりが生じて、給気ファン４及び排気ファン５における静圧が高くなり、時間ｔ１においては、給気ファン４及び排気ファン５の風量が、点Ｐ１に対応する風量Ｑ１（ここで、風量Ｑ１も、必要換気量以上の風量に相当するものとする）まで低下し、さらに運転時間が経過すると、図４における回転数ｎｓ２の線の点Ｐ１よりも左側の部分や図５における点Ｐ０と点Ｐ１とを結ぶ線を低風量側に延長した２点鎖線に示されるように、給気ファン４及び排気ファン５の風量が、必要換気量に相当する風量を下回ることになる。
【００３２】
これに対して、フィルタ６、７の目詰まり度の増加に応じて、給気ファンモータ４２及び排気ファンモータ５２の目標回転数ｎｓを増加させることで、給気ファン４及び排気ファン５における風量の低下を抑えることが考えられるが、単に給気ファンモータ４２及び排気ファンモータ５２の目標回転数ｎｓを増加させるようにしただけでは、給気ファン４及び排気ファン５が高静圧・高風量の運転条件となってしまい、その結果、給気ファン４及び排気ファン５の過負荷運転が発生するおそれがあり望ましくない。また、給気ファンモータ４２及び排気ファンモータ５２の目標回転数ｎｓを増加させる頻度については、フィルタ６、７の目詰まり度の増加の程度が換気装置１の使用環境によって異なる点も考慮して決定する必要があり、その決定が容易ではない。
【００３３】
そこで、本実施形態の換気装置１には、まず、フィルタ６、７の交換や洗浄の時期（すなわち、フィルタ６、７の交換や洗浄を必要とする程度の目詰まりが生じると予測される時点）を報知することを目的として、予め制御部８のメモリ等に設定された時間入力値ｔｓに運転時間ｔが達したことを報知部９に報知させる機能（以下、フィルタサインとする）を設けるようにしている。ここで、報知部９は、ランプ表示やブザー等の音を発報するものであり、本実施形態のように、装置本体２に設けられてもよいし、また、換気装置１が運転操作用のリモートコントローラを有するものである場合には、リモートコントローラに設けられていてもよい。
【００３４】
そして、本実施形態の換気装置１では、このようなフィルタサインを用いて、以下に説明する制御方法を採用し、フィルタ６、７に目詰まりが生じてきた場合であっても、給気ファン４及び排気ファン５の過負荷運転の発生を抑えつつ、換気量の低下を極力抑えるようにしている。
【００３５】
まず、ステップＳ１において、制御部８は、フィルタサインの時間入力値ｔｓから給気ファンモータ４２及び排気ファンモータ５２の目標回転数ｎｓを増加させる所定頻度を決定する。ここで、フィルタサインの時間入力値ｔｓは、本実施形態においては、装置本体２の工場出荷時や装置本体２の据え付け時に、換気装置１の使用環境を考慮して、予め制御部８に準備された複数の値（例えば、時間入力値ｔｓ１、ｔｓ２、ｔｓ３、・・・）の１つを選択することによって設定されている。例えば、各時間入力値がｔｓ１＞ｔｓ２＞ｔｓ３・・・の関係を有するものとすると、フィルタ６、７の目詰まりが生じにくい環境で使用される場合には、ｔｓ１が時間入力値ｔｓとして設定し、フィルタ６、７の目詰まりが生じやすい環境で使用される場合には、ｔｓ２やｔｓ３が時間入力値ｔｓとして設定する。そして、時間入力値ｔｓを所定整数Ｎで割ることによって、給気ファンモータ４２及び排気ファンモータ５２の目標回転数ｎｓを増加させる所定頻度としての時間間隔Δｔを演算する。ここで、所定整数Ｎは、目標回転数ｎｓを増加させる回数に１を加えた値である。例えば、目標回転数ｎｓを増加させる回数を２回にする場合には、所定整数Ｎをこの回数に１を加えて３とし、時間入力値ｔｓを所定整数Ｎで割ることによって、時間間隔Δｔ＝ｔｓ／３として得ることができる。そして、このような時間入力値ｔｓを用いて決定される所定頻度（すなわち、時間間隔Δｔ）は、時間入力値ｔｓが比較的長い時間（例えば、ｔｓ１）に設定される場合には、それに応じて比較的長い時間間隔に設定されることになり、また、時間入力値ｔｓが比較的短い時間（例えば、ｔｓ３）に設定される場合には、それに応じて比較的短い時間間隔に設定されることになるため、フィルタサインの時間入力値ｔｓと同様、換気装置１の使用環境による影響も考慮した適切な値を、フィルタサインの時間入力値ｔｓを所定整数Ｎで割るという簡単な演算を行うだけで容易に得ることができる。
【００３６】
次に、ステップＳ２において、制御部８は、換気装置１の運転時間が時間入力値ｔｓに到達したかどうかを判定し、運転時間が時間入力値ｔｓに到達していないと判定した場合には、ステップＳ３の処理に移行する。そして、ステップＳ３において、制御部８は、運転時間が所定頻度（より具体的には、時間間隔Δｔの整数倍の時間）に到達したかどうかを判定し、所定頻度に到達していないと判定した場合には、ステップＳ２、Ｓ３の処理を繰り返し、ステップＳ３において、所定頻度に到達したものと判定した場合には、ステップＳ４の処理に移行して、給気ファンモータ４２及び排気ファンモータ５２の目標回転数ｎｓを増加させた後に、ステップＳ２の処理に移行する。このように、制御部８は、運転時間の経過とともにステップＳ２、Ｓ３、Ｓ４の処理を繰り返して、給気ファンモータ４２及び排気ファンモータ５２の目標回転数ｎｓを増加させる制御を行い、ステップＳ２において、運転時間が時間入力値ｔｓに到達したものと判定した場合には、ステップＳ５に移行して、報知部９を通じてフィルタサインを発報して、ステップＳ１〜Ｓ５の処理を終了して、フィルタサインが出た後は、給気ファンモータ４２及び排気ファンモータ５２の目標回転数ｎｓを増加させない状態にする。
【００３７】
ここで、上述のステップＳ２〜Ｓ５の処理について、ステップＳ１において、目標回転数ｎｓを増加させる回数を２回（すなわち、所定整数Ｎ＝３、時間間隔Δｔ＝ｔｓ／３）とし、給気ファンモータ４２及び排気ファンモータ５２の目標回転数ｎｓを風量Ｑ０に対応する回転数ｎｓ２として運転を開始した場合を例として具体的に説明する（図４及び図５参照）。
【００３８】
まず、換気装置１の運転開始から１回目の時間間隔Δｔ（すなわち、運転開始から時間ｔ１）が経過するまでは、制御部８は、ステップＳ２、Ｓ３の処理を繰り返すことで、目標回転数ｎｓは回転数ｎｓ２で一定になるように制御を行う。この際、フィルタ６、７には塵埃等が付着することで目詰まりが生じて給気ファン４及び排気ファン５における静圧が高くなるため、給気ファン４及び排気ファン５における風量（すなわち、図１における空気流Ｆ１、Ｆ２の流量）が、点Ｐ０に対応する風量Ｑ０（ここで、風量Ｑ０は、必要換気量以上の風量に相当するものとする）から徐々に低下して、換気装置１の運転開始から１回目の時間間隔Δｔ（すなわち、運転開始から時間ｔ１）に到達する時点で、点Ｐ１に対応する風量Ｑ１（ここで、風量Ｑ１は、必要換気量以上の風量に相当するものとする）となる。
【００３９】
そして、換気装置１の運転開始から１回目の時間間隔Δｔ（すなわち、運転開始から時間ｔ１）が経過すると、制御部８は、ステップＳ３からステップＳ４の処理に移行して、目標回転数ｎｓを回転数ｎｓ２から回転数ｎｓ３に増加させる制御を行う。この際、給気ファン４及び排気ファン５における風量は、点Ｐ１に対応する風量Ｑ１から増加して点Ｐ２に対応する風量（ここでは、運転初期における風量Ｑ０付近）まで増加し、換気量の低下が抑えられることになる。尚、目標回転数ｎｓの増加に伴い、給気ファン４及び排気ファン５における静圧も増加することになる。
【００４０】
次に、換気装置１の１回目の時間間隔Δｔに到達してから２回目の時間間隔Δｔ（すなわち、運転開始から時間ｔ２）が経過するまでは、制御部８は、ステップＳ２、Ｓ３の処理を繰り返すことで、目標回転数ｎｓは回転数ｎｓ３で一定になるように制御を行う。この際も、フィルタ６、７には塵埃等が付着することで目詰まりが生じて給気ファン４及び排気ファン５における静圧がさらに高くなるため、給気ファン４及び排気ファン５における風量が、点Ｐ２に対応する風量（ここでは、運転初期における風量Ｑ０付近）から徐々に低下して、換気装置１の１回目の時間間隔Δｔに到達してから２回目の時間間隔Δｔ（すなわち、運転開始から時間ｔ２）に到達する時点で、点Ｐ３に対応する風量（ここでは、点Ｐ１に対応する風量Ｑ１付近）となる。
【００４１】
そして、換気装置１の１回目の時間間隔Δｔに到達してから２回目の時間間隔Δｔ（すなわち、運転開始から時間ｔ２）が経過すると、制御部８は、ステップＳ３からステップＳ４の処理に移行して、目標回転数ｎｓを回転数ｎｓ３から回転数ｎｓ４にさらに増加させる制御を行う。この際、給気ファン４及び排気ファン５における風量は、点Ｐ３に対応する風量（ここでは、点Ｐ１に対応する風量Ｑ１付近）から増加して点Ｐ２に対応する風量（ここでは、運転初期における風量Ｑ０付近）まで増加し、換気量の低下が抑えられることになる。尚、目標回転数ｎｓの増加に伴い、給気ファン４及び排気ファン５における静圧もさらに増加することになる。
【００４２】
次に、換気装置１の２回目の時間間隔Δｔに到達してから３回目の時間間隔Δｔ（すなわち、運転開始から時間ｔ３）が経過するまでは、制御部８は、ステップＳ２、Ｓ３の処理を繰り返すことで、目標回転数ｎｓは回転数ｎｓ４で一定になるように制御を行う。この際も、フィルタ６、７には塵埃等が付着することで目詰まりが生じて給気ファン４及び排気ファン５における静圧がさらに高くなるため、給気ファン４及び排気ファン５における風量が、点Ｐ４に対応する風量（ここでは、運転初期における風量Ｑ０付近）から徐々に低下して、換気装置１の２回目の時間間隔Δｔに到達してから３回目の時間間隔Δｔ（すなわち、運転開始から時間ｔ３）が到達する時点で、点Ｐ５に対応する風量（ここでは、点Ｐ１に対応する風量Ｑ１付近）となる。
【００４３】
そして、換気装置１の２回目の時間間隔Δｔに到達してから３回目の時間間隔Δｔ（すなわち、運転開始から時間ｔ３）が経過すると、時間ｔ３が時間入力値ｔｓに等しいことから、制御部８は、ステップＳ２からステップＳ５の処理に移行して、フィルタサインを出して、ステップＳ１〜Ｓ５の処理を終了する。これにより、目標回転数ｎｓを所定頻度で増加させる制御に伴う給気ファン４及び排気ファン５の過負荷運転の発生のおそれを検知することができ、過負荷運転の発生を抑えることができる。しかも、フィルタサインが出た後は、制御部８は、目標回転数ｎｓが増加させる制御を行わなくなるため、仮に、フィルタサインが出た後も継続して給気ファン４及び排気ファン５の運転が行われた場合であっても、目標回転数ｎｓが増加することはなく、給気ファン４及び排気ファン５の過負荷運転の発生を確実に抑えることができる。
【００４４】
このように、本実施形態の換気装置１では、フィルタサインの時間入力値ｔｓを用いて、換気装置１の使用環境による影響も考慮した適切な頻度で給気ファン４及び排気ファン５の目標回転数ｎｓを増加させる制御を行い、フィルタ６、７に目詰まりが生じてきた場合であっても、給気ファン４及び排気ファン５における風量を風量Ｑ０から風量Ｑ１の間で維持することができ、これにより、換気量の低下を極力抑えることができるようになっている。しかも、時間入力値ｔｓに到達した際に出されるフィルタサインによって、給気ファン４及び排気ファン５の過負荷運転の発生のおそれを検知し、しかも、フィルタサインが出た後は目標回転数ｎｓを増加させないようにしているため、フィルタ６、７のメンテナンスのための運転停止が行われずに、フィルタサインが出た後も継続して給気ファン４及び排気ファン５の運転が行われた場合であっても、給気ファン４及び排気ファン５の過負荷運転の発生を確実に抑えることができるようになっている。
【００４５】
また、本実施形態の換気装置１では、フィルタサインの時間入力値ｔｓは、フィルタ６、７のメンテナンス時に設定可能となっているため、例えば、装置本体２の工場出荷時や装置本体２の据え付け時には換気装置１の使用環境を正確に把握できていない場合や実際の換気装置１の使用環境が装置本体２の工場出荷時や装置本体２の据え付け時における認識と異なる場合のように、装置本体２の工場出荷時や装置本体２の据え付け時に設定された時間入力値ｔｓが適切な値でない場合であっても、装置本体２の据え付け後の初めての運転でフィルタサインが出た時点において、給気ファン４及び排気ファン５の風量測定等を実施することでフィルタ６、７の目詰まりの度合い、すなわち、換気装置１の使用環境を正確に把握して、フィルタ６、７のメンテナンス時に時間入力値ｔｓを適切な値に設定し直すことができる。これにより、時間入力値ｔｓを設定し直した後の運転において、フィルタサインを適切なタイミングで出すことができるとともに、給気ファン４及び排気ファン５の目標回転数ｎｓを増加させるための所定頻度も適切なものとすることができ、換気量の低下や過負荷運転の発生を確実に抑えることができる。
【００４６】
尚、上述においては、給気ファン４と排出ファン５の両方についてまとめて制御方法の説明を行っているため、風量−静圧特性や時間入力値ｔｓ、所定頻度を演算するための所定整数Ｎ等が両ファン４、５ともに同じであり、しかも、両ファン４、５を一括して制御を行っているような記載となっているが、これに限定されるものではなく、給気ファン４と排出ファン５との間で、風量−静圧特性や時間入力値ｔｓ、所定頻度を演算するための所定整数Ｎ等が異なっていてもよいし、また、両ファン４、５を個別に制御を行ってもよい。
【００４７】
（３）他の実施形態
以上、本発明の実施形態について図面に基づいて説明したが、具体的な構成は、これらの実施形態に限られるものではなく、発明の要旨を逸脱しない範囲で変更可能である。
【００４８】
（Ａ）
上述の実施形態では、時間入力値ｔｓが予め制御部８に準備された複数の値（例えば、時間入力値ｔｓ１、ｔｓ２、ｔｓ３、・・・）の１つを選択することによって設定されているが、これに限定されるものではなく、時間入力値ｔｓの値を制御部８のメモリ等に直接入力するものであってもよい。
【００４９】
（Ｂ）
上述の実施形態では、顕熱と潜熱とを同時に熱交換する全熱交換器（すなわち、熱交換器３）を有する換気装置１に本発明を適用した例を説明したが、これに限定されるものではなく、顕熱のみを熱交換する顕熱熱交換器を有する換気装置に本発明を適用してもよいし、また、熱交換器を有しないフィルタ付きの換気扇からなる換気装置に本発明を適用してもよい。
【００５０】
（Ｃ）
上述の実施形態では、送風ファンとしての給気ファン４及び排気ファン５の上流側にフィルタ６、７をそれぞれ配置した装置本体２を有する換気装置１に本発明を適用した例を説明したが、これに限定されず、送風ファンをフィルタの上流側に配置する等によりフィルタの下流側に配置した換気装置に本発明を適用してもよい。また、送風ファンやフィルタが装置本体２ではなく装置本体２が接続されるダクト等に設けられた換気装置に本発明を適用してもよい。
【産業上の利用可能性】
【００５１】
本発明を利用すれば、送風ファンとフィルタとを備えた換気装置において、フィルタに目詰まりが生じてきた場合であっても、送風ファンの過負荷運転の発生を抑えつつ、換気量の低下を極力抑えることができる。
【図面の簡単な説明】
【００５２】
【図１】本発明の一実施形態にかかる換気装置の概略構成図である。
【図２】熱交換器の要部を示す斜視図である。
【図３】換気装置の制御方法を示すフローチャートである。
【図４】給気ファン及び排気ファンの風量−静圧特性を示すグラフである。
【図５】給気ファン及び排気ファンの風量の経時変化を示すグラフである。
【符号の説明】
【００５３】
１  換気装置
４  給気ファン（送風ファン）
５  排気ファン（送風ファン）
６、７  フィルタ
８  制御部
【図１】
2009002554.tif 000003
【図２】
2009002554.tif 000004
【図３】
2009002554.tif 000005
【図４】
2009002554.tif 000006
【図５】
2009002554.tif 000007